(57)【要約】【課題】展開接続図の登録時にページ間を関連付けるための呼び合い情報を自動で登録できる展開接続図管理装置を得る。【解決手段】展開接続図管理装置を構成する展開接続図取り込み手段１１によって、発電プラント設備の展開接続図１０を取り込み、電子画像を書庫データベース２１に格納し、図面情報を図面情報データベース２２に格納するとともに、呼び合い情報抽出手段１２によって、展開接続図１０の電子画像の各ページから、所定位置のページ番号及び所定位置以外のページ番号をそれぞれ抽出し、これらをページ間を関連付けるための呼び合い情報として、呼び合い情報データベース２３に格納するようにした。【選択図】図１
2014146086.tif 000002
【特許請求の範囲】
【請求項１】
発電プラント設備の展開接続図を管理する展開接続図管理装置であって、
上記展開接続図の電子画像を外部から取り込み、書庫データベースに格納する展開接続図取り込み手段、
及びこの展開接続図取り込み手段により取り込まれた上記展開接続図の電子画像の各ページについて、当該ページを識別する第一のページ番号を上記電子画像の所定位置から読み取るとともに、当該ページの上記電子画像の上記所定位置以外の位置にある第二のページ番号を抽出し、この抽出した第二のページ番号を上記第一のページ番号と関連付けるための呼び合い情報として、呼び合い情報データベースに格納する呼び合い情報抽出手段を備えたことを特徴とする展開接続図管理装置。
【請求項２】
上記第二のページ番号の上記電子画像上の出現位置情報を格納する呼び合い位置情報データベースを備え、
上記呼び合い情報抽出手段は、上記抽出した第二のページ番号の上記電子画像上の出現位置情報を、上記呼び合い位置情報データベースに格納することを特徴とする請求項１記載の展開接続図管理装置。
【発明の詳細な説明】
【技術分野】
【０００１】
この発明は、発電プラント設備の展開接続図を管理する展開接続図管理装置に関するものである。
【背景技術】
【０００２】
発電プラント設備の保守・管理業務を行う際、発電プラント設備の展開接続図を元に作業を行うが、従来は紙ベースで管理していた展開接続図を、電子化してシステムで一元管理する展開接続図管理システムがある。展開接続図には、ページ間の呼び合い情報が図面中に記載されており、この情報を元にページ間の呼び合い情報をデータベース管理し、効率良くページ遷移を行う。
展開接続図を電子化して管理する手法については、展開接続図をＣＡＤ（Ｃｏｍｐｕｔｅｒ  Ａｉｄｅｄ  Ｄｅｓｉｇｎ）化し、ページ間の連携を呼び合いシンボルとしてデータベース化することで、呼び合い先の展開接続図を検索する機能が、特許文献１に記載されている。
【先行技術文献】
【特許文献】
【０００３】
【特許文献１】特開２００１−１７５６６４号公報（第３〜４頁、図１）
【発明の概要】
【発明が解決しようとする課題】
【０００４】
展開接続図を電子化して管理するためには、ＣＡＤ化して管理するのが望ましいが、ＣＡＤ化を行うにはかなりの労力・費用が必要となるため、単に展開接続図をスキャナで取り込んだ電子画像を電子図面として管理する展開接続図管理システムが考案されている。
しかし、電子画像としてシステムに取り込んだ場合は、ページ間の連携情報を手入力でシステムに設定する必要があった。そのため、実際には情報の登録がなかなか行われず、ページ間連携機能があまり利用できなかった。
【０００５】
この発明は、上記のような課題を解決するためになされたものであり、展開接続図の登録時にページ間を関連付けるための呼び合い情報を自動で登録できる展開接続図管理装置を得ることを目的にしている。
【課題を解決するための手段】
【０００６】
この発明に係わる展開接続図管理装置においては、発電プラント設備の展開接続図を管理する展開接続図管理装置であって、展開接続図の電子画像を外部から取り込み、書庫データベースに格納する展開接続図取り込み手段、及びこの展開接続図取り込み手段により取り込まれた展開接続図の電子画像の各ページについて、当該ページを識別する第一のページ番号を電子画像の所定位置から読み取るとともに、当該ページの電子画像の所定位置以外の位置にある第二のページ番号を抽出し、この抽出した第二のページ番号を第一のページ番号と関連付けるための呼び合い情報として、呼び合い情報データベースに格納する呼び合い情報抽出手段を備えたものである。
【発明の効果】
【０００７】
この発明によれば、発電プラント設備の展開接続図を管理する展開接続図管理装置であって、展開接続図の電子画像を外部から取り込み、書庫データベースに格納する展開接続図取り込み手段、及びこの展開接続図取り込み手段により取り込まれた展開接続図の電子画像の各ページについて、当該ページを識別する第一のページ番号を電子画像の所定位置から読み取るとともに、当該ページの電子画像の所定位置以外の位置にある第二のページ番号を抽出し、この抽出した第二のページ番号を第一のページ番号と関連付けるための呼び合い情報として、呼び合い情報データベースに格納する呼び合い情報抽出手段を備えたので、ＣＡＤ化されていない展開接続図のページ間の関連付けのための呼び合い情報の登録作業の省力化を図ることができる。
【図面の簡単な説明】
【０００８】
【図１】この発明の実施の形態１による展開接続図管理装置を示す構成図である。
【図２】この発明の実施の形態１による展開接続図管理装置の展開接続図の自動登録の流れを示すフロー図である。
【図３】この発明の実施の形態２による展開接続図管理装置を示す構成図である。
【図４】この発明の実施の形態２による展開接続図管理装置の展開接続図の自動登録の流れを示すフロー図である。
【発明を実施するための形態】
【０００９】
実施の形態１．
以下、この発明の実施の形態１を図に基づいて説明する。
図１は、この発明の実施の形態１による展開接続図管理装置を示す構成図である。
図１において、展開接続図管理装置１は、次のように構成されている。
展開接続図取り込み手段１１は、ＣＡＤ化されていない展開接続図１０の取り込みを行い、電子画像を書庫データベース２１に登録するとともに、図面の情報を図面情報データベース２２に登録する。呼び合い情報抽出手段１２は、展開接続図１０から、ページ間を関連付けるための呼び合い情報を抽出し、呼び合い情報データベース２３に登録する。書庫データベース２１は、展開接続図１０の電子画像を格納する。図面情報データベース２２は、展開接続図１０の図面情報を格納する。呼び合い情報データベース２３は、展開接続図１０のページ間の呼び合い情報を格納する。
なお、展開接続図管理装置１は、例えばパーソナルコンピュータなどを含む一般的なコンピュータを用いて構成することができる。
また、書庫データベース２１と、図面情報データベース２２と、呼び合い情報データベース２３とは、記憶装置に格納される。
【００１０】
次に、動作について、図２の展開接続図管理装置の展開接続図の自動登録の流れを示すフロー図を用いて説明する。
図２で、まず、ｎを１にセットした（ＳＴ２０１）後、展開接続図取り込み手段１１が、ＣＡＤ化されていない展開接続図１０の電子画像をページ単位で展開接続図管理装置１へ取り込む（ＳＴ２０２）。
次いで、呼び合い情報抽出手段１２が、展開接続図１０の各ページでは決まった所定の位置にページ番号が記載されているため、そのページの所定の位置に記載されたページ番号（第一のページ番号）を取り込む（ＳＴ２０３）。
【００１１】
ページ番号の採番方法には「ＳＥｘｘｘ（ｘｘｘは連番）」などの採番ルールがあり、呼び合い情報抽出手段１２が、該当ページの電子画像内に出現する文字列の中からページ番号に相当する文字列をキーワードとして抽出する（ＳＴ２０４）。ＳＴ２０４で抽出したキーワード（第二のページ番号）を、ＳＴ２０３で取り込まれたページ番号の呼び合い情報として、呼び合い情報データベース２３に登録する（ＳＴ２０５）。展開接続図１０の全ページに対して、ＳＴ２０２〜ＳＴ２０６の処理を繰り返す（ＳＴ２０７）。
ページ番号の文字列抽出の際、図面番号と組み合わせられたものもあるので、この場合は図面番号も合わせて抽出を行う。
【００１２】
上記のように、実施の形態１によれば、ＣＡＤ化されていない展開接続図のページ間の
呼び合い情報の登録作業を省力化できる効果がある。
【００１３】
実施の形態２．
以下、この発明の実施の形態２を図に基づいて説明する。
図３は、この発明の実施の形態２による展開接続図管理装置を示す構成図である。
図３において、１、１０〜１２、２１〜２３は図１におけるものと同一のものである。図３では、呼び合い情報抽出手段１２が、展開接続図１０から、ページ間の呼び合い情報とともにキーワード（第二のページ番号）の位置情報である呼び合い位置情報を取得し、呼び合い位置情報データベース２４に格納する。
【００１４】
次に、動作について、図４の展開接続図管理装置の展開接続図の自動登録の流れを示すフロー図を用いて説明する。
実施の形態１と同様にして、展開接続図取り込み手段１１が、展開接続図１０の電子画像をページ単位で展開接続図管理装置１へ取り込み（ＳＴ４０１）、次いで、呼び合い情報抽出手段１２が、展開接続図１０の該当ページの所定の位置に記載されたページ番号を取り込む（ＳＴ４０２）。呼び合い情報抽出手段１２が、展開接続図１０の電子画像内に出現する文字列の中からページ番号に相当する文字列をキーワードとして抽出する（ＳＴ４０３）。
次いで、ＳＴ４０３で抽出したキーワード（ページ番号）を、ＳＴ４０２で取り込まれたページ番号の呼び合い情報として、呼び合い情報データベース２３に登録するとともに（ＳＴ４０４）、ＳＴ４０３で抽出したキーワード（ページ番号）の出現位置を呼び合い位置情報データベース２４に登録する（ＳＴ４０５）。展開接続図１０の全ページに対して、ＳＴ４０１〜ＳＴ４０５の処理を繰り返す（ＳＴ４０６）。
【００１５】
上記のように、実施の形態２によれば、ＣＡＤ化されていない展開接続図のページ間の呼び合い情報及び呼び合い位置情報の登録作業を省力化できる効果がある。
【００１６】
なお、本発明は、その発明の範囲内において、各実施の形態を自由に組み合わせたり、各実施の形態を適宜、変形、省略することが可能である。
【符号の説明】
【００１７】
１  展開接続図管理装置、１０  展開接続図、１１  展開接続図取り込み手段、１２  呼び合い情報抽出手段、２１  書庫データベース、２２  図面情報データベース、２３  呼び合い情報データベース、２４  呼び合い位置情報データベース。
【図１】
2014146086.tif 000003
【図２】
2014146086.tif 000004
【図３】
2014146086.tif 000005
【図４】
2014146086.tif 000006